(57)【要約】【課題】横方向へ装着された挿入装置を提供する。【解決手段】本発明は、綿撤糸（２２）がアプリケータのバレルの中に横方向へ装着されることを可能とするように構成されたタンポンアプリケータ（１２）を提供する。綿撤糸を横方向へ装着することによって、アプリケータは、バレルの挿入端部に前もって成形された花弁（１６）および／または減少された直径を有するフィンガーグリップとを含むことができる。アプリケータは、例えば、バイオポリマー、ペーパー、板紙、ペーパースラリー、プラスチック、熱可塑性ポリマー、熱硬化性ポリマー、あるいは、これらのあらゆる組合せなどのあらゆる適切な材料から成形されることができる。
2005514165.tif 000002
【特許請求の範囲】
【請求項１】
第１のバレル部と、この第１のバレル部に接続されるように構成された第２のバレル部と具備し、前記第１のバレル部および第２のバレル部は、接続されないとき、横方向へ綿撤糸を受容するように構成されているタンポンアプリケータ。
【請求項２】
前記第１のバレル部および第２のバレル部が、前記綿撤糸のためのエンクロージャを形成するように、前記第１のバレル部は、形状が前記第２のバレル部にほぼ類似している請求項１に記載のタンポンアプリケータ。
【請求項３】
前記第１のバレル部および前記第２のバレル部は、バイオポリマー、ペーパー、板紙、ペーパースラリー、プラスチック、熱可塑性ポリマー、熱硬化性ポリマーおよびこれらのあらゆる組合せからなる群から選択される材料かにより成形されている請求項１に記載のタンポンアプリケータ。
【請求項４】
前記第１のバレル部、前記第２のバレル部、あるいは、前記第１のバレル部と前記第２のバレル部の両方は、これらの表面に、表面処理材料を有する請求項１に記載のタンポンアプリケータ。
【請求項５】
前記第１のバレル部、前記第２のバレル部、あるいは、前記第１のバレル部と前記第２のバレル部の両方は、前記表面処理材料によって、外面がコーティングされるか、内面がコーティングされるか、あるいは、外面と内面との両方がコーティングされている請求項４に記載のタンポンアプリケータ。
【請求項６】
前記表面処理材料は、セロファン、セルロース、エポキシ、ラッカー、ニトロセルロース、ナイロン、プラスチック、シリコーン、ポリエステル、ポリラクチド、ポリオレフィン、ポリビニルアルコール、ポリ塩化ビニル、ワックスおよびこれらのあらゆる組合せからなる群から選択されている請求項５に記載のタンポンアプリケータ。
【請求項７】
前記第１のバレル部は、機械的ヒンジ、一体のヒンジおよびこれらのあらゆる組合せからなる群から選択されるヒンジによって前記第２のバレル部に可動に接続されている請求項１に記載のタンポンアプリケータ。
【請求項８】
前記第１のバレル部と前記第２のバレル部との各々は、挿入端部と、この挿入端部の反対側に取り外し端部とを有する請求項１に記載のタンポンアプリケータ。
【請求項９】
前記第１のバレル部および前記第２のバレル部の前記挿入端部に、１つまたは複数の前もって成形された花弁を更に具備している請求項８に記載のタンポンアプリケータ。
【請求項１０】
前記第１のバレル部および前記第２のバレル部の前記取り外し端部に成形されたフィンガーグリップを更に具備している請求項８に記載のタンポンアプリケータ。
【請求項１１】
前記フィンガーグリップは、減少された直径を有する請求項１０に記載のタンポンアプリケータ。
【請求項１２】
前記フィンガーグリップは、１つまたは複数のグリップ構造を有する請求項１１に記載のタンポンアプリケータ。
【請求項１３】
前記１つまたは複数のグリップ構造は、アーク、円形、凹所、円錐、凸状部、菱形、溝、線、ルーバー、長円形、多角形、隆起、矩形、リブ、スリット、四角形、トレッド、三角形およびこれらのあらゆる組合せからなる群から選択されている請求項１２に記載のタンポンアプリケータ。
【請求項１４】
バレル端部と、このバレル端部の反対側に取り外し端部とを有するプランジャを更に首する請求項１に記載のタンポンアプリケータ。
【請求項１５】
前記プランジャは、減少された直径を有する請求項１４に記載のタンポンアプリケータ。
【請求項１６】
前記プランジャは、安全なフィンガー掛けをもたらすように構成された前記取り外し端部において増大された直径を有する請求項１５に記載のタンポンアプリケータ。
【請求項１７】
前記プランジャは、前記バレル端部において増大された直径を有する請求項１５に記載のタンポンアプリケータ。
【請求項１８】
前記プランジャは、バイオポリマー、ペーパー、板紙、ペーパースラリー、プラスチック、熱可塑性ポリマー、熱硬化性ポリマー、あるいは、これらのあらゆる組合せからなる群から選択される材料から成形されている請求項１４に記載のタンポンアプリケータ。
【請求項１９】
吸収性綿撤糸が横方向に装着されるように構成されたタンポンアプリケータを成形する方法であって、
（ａ）第１の挿入端部およびこの第１の挿入端部の反対側に取り外し端部を有する第１のバレル部と、第２の挿入端部およびこの第２の挿入端部の反対側に取り外し端部を有する第２のバレル部とを供給する工程と、
（ｂ）前記第１のバレル部、あるいは、前記第２のバレル部に綿撤糸を装着する工程と、
（ｃ）前記綿撤糸を閉じ込めるために、前記第１のバレル部を前記第２のバレル部に取着させる工程と、
を具備する方法。
【請求項２０】
前記工程（ａ）の後に、前記第１のバレル部、あるいは、前記第２のバレル部の前記取り外し端部にプランジャを配置する工程を更に具備する請求項１９に記載の方法。
【請求項２１】
工程（ｂ）の後に、前記第１のバレル部、あるいは、前記第２のバレル部の前記取り外し端部にプランジャを配置する工程を更に具備する請求項１９に記載の方法。
【請求項２２】
前記第１のバレル部は、機械的ヒンジ、一体のヒンジおよびこれらのあらゆる組合せからなる群から選択されるヒンジによって、前記第２のバレル部に可動に接続される請求項１９に記載の方法。
【請求項２３】
前記第１のバレル部、前記第２のバレル部および前記プランジャは、バイオポリマー、プラスチック、熱可塑性ポリマー、熱硬化性ポリマー、ペーパー、板紙、ペーパースラリーおよびこれらのあらゆる組合せからなる群から選択される材料から成形される請求項１９に記載の方法。
【請求項２４】
前記第１のバレル部、前記第２のバレル部、あるいは、前記第１のバレル部と前記第２のバレル部の両方は、これらの表面に、表面処理材料を有する請求項１９に記載のタンポンアプリケータ。
【請求項２５】
前記第１のバレル部、前記第２のバレル部、あるいは、前記第１のバレル部と前記第２のバレル部の両方は、前記表面処理材料によって、外面がコーティングされるか、内面がコーティングされるか、あるいは、外面と内面との両方がコーティングされる請求項２４に記載のタンポンアプリケータ。
【請求項２６】
前記表面処理材料は、セロファン、セルロース、エポキシ、ラッカー、ニトロセルロース、ナイロン、プラスチック、シリコーン、ポリエステル、ポリラクチド、ポリオレフィン、ポリビニルアルコール、ポリ塩化ビニル、ワックスおよびこれらのあらゆる組合せからなる群から選択される請求項２５に記載のタンポンアプリケータ。
【請求項２７】
前記第１のバレル部および前記第２のバレル部は、形状がほぼ類似である請求項１９に記載の方法。
【請求項２８】
前記第１のバレル部および前記第２のバレル部は、前記第１の挿入端部部分、前記第２の挿入端部部分、あるいは、両方に１つまたは複数の前もって成形された花弁を有する請求項１９に記載の方法。
【請求項２９】
前記第１のバレル部は、接着剤、溶融溶接、締りばめおよびこれらのあらゆる組合せからなる群から選択される固定手段によって前記第２のバレル部に固定されている請求項１９に記載の方法。
【請求項３０】
前記綿撤糸は、吸収性綿撤糸である請求項１９の方法によって成形される横方向へ装着されたタンポンアプリケータ。
【発明の詳細な説明】
【技術分野】
【０００１】
本発明は、月経用タンポンアプリケータなどの挿入装置に関する。より詳細には、本発明は、吸収性綿撤糸が横方向へ装着されるタンポンアプリケータに関する。
【背景技術】
【０００２】
プラスチックアプリケータを有する現在市販のタンポンのバレル（ｂａｒｒｅｌ）は、一般に、Ｋｏｔｅｘ  Ｓｅｃｕｒｉｔｙ（登録商標）タンポン、Ｐｌａｙｔｅｘ  Ｇｅｎｔｌｅ  Ｇｌｉｄｅ（登録商標）タンポンのバレルなどの単一成形体として製造されている。現在市販の板紙アプリケータタンポンのバレルは、ｏ．ｂ．アプリケータタンポンなどの渦巻き形に巻かれた板紙か、あるいは、Ｔａｍｐａｘ（登録商標）タンポンなどのらせん状に巻かれた板紙のいずれかから成形されている。
【０００３】
使用中の快適さを改良するために、アプリケータには、このアプリケータの挿入端部に花弁が成形されることがある。そのうえ、アプリケータの中には、フィンガーグリップとアプリケータバレルの直径から減少されている直径のプランジャとを有するものもある。この特性は、タンポンアプリケータをいっそうグリップ可能にするだけでなく、消費者によっていっそう美学的に好まれる。
【０００４】
最新の減少された直径のフィンガーグリップのタンポンアプリケータについて、そのタンポン綿撤糸は、フィンガーグリップ端部におけるより小さな開口のためにアプリケータの挿入端部の方へ装着される必要がある。その結果、これらのタンポンは、吸収性綿撤糸の底装着、あるいは、プランジャ端部装着から制限される。これにより、この綿撤糸に吸収性綿撤糸が装着された後、アプリケータの花弁を、もしあれば、それらの最終形状に二次成形される必要がある。花弁の二次成形は、材料が可塑化される必要がある。一般に、プラスチック花弁は、熱によって可塑化され、外面成形ダイを使用して形成される．
板紙の花弁は、可塑化することがいっそう難しく、内側マンドレルをさらに使用することが必要となる。通常の方法は、水（既存の水分か、あるいは、補足的な水分かのいずれか）を揮発させるために先端を加熱することと、次に、外面ダイと連動して内側マンドレルを使用してその花弁を形状へと推し進めることとを含む。この内側マンドレルは、ほぼバレルと同じ直径を有し、それゆえ、減少された直径のフィンガーグリップエリアを通って入ることができない。したがって、花弁先端を形成するための内側マンドレルの必要性は、板紙のアプリケータの減少された直径のフィンガーグリップエリアの製造を排除した。
【０００５】
最新のタンポンアセンブリ方法を用いると、プランジャのもう１つの端部が、フィンガーグリップエリアを介して嵌め込む必要があるので、プランジャが、バレルの底を通って、あるいは、バレルの頂部を通ってアプリケータの中に挿入されようが、バレルの中へのプランジャのアセンブリに先立って１つの大いに拡大したプランジャ端部を有することはようやく実現できそうである。フィンガーグリップエリアを介して嵌め込むプランジャ端部は、アプリケータアセンブリ後、朝顔形に開かれることが可能であるが、このアプローチは、フレアのデザインの可能性を制限し、製造の難しさを増大させる。
【発明の開示】
【発明が解決しようとする課題】
【０００６】
それゆえ、吸収性綿撤糸をアプリケータバレルの中に装着するに先だって、花弁がアプリケータバレルの挿入端部に前もって成形されることが可能か、あるいは、一体化されることが可能なように製造されることが可能な減少された直径のフィンガーグリップおよび／またはプランジャプランジャを有するタンポンアプリケータ、特に、厚紙のアプリケータが必要とされている。
【０００７】
本発明の目的は、吸収性綿撤糸がアプリケータのバレルの中に側面に沿っているか、あるいは、横方向に装着されることを可能にするように構成されたタンポンアプリケータを提供することである。
【０００８】
本発明の別の目的は、アプリケータバレルの挿入端部に前もって成形される花弁を有するこのようなタンポンアプリケータを提供することである。
【０００９】
本発明のさらに別の目的は、フィンガーグリップを有するこのようなタンポンアプリケータを提供することである。
【００１０】
本発明の別の目的は、アプリケータバレルの直径と比べて減少された直径を有するフィンガーグリップを有するこのようなタンポンアプリケータを提供することである。
【００１１】
本発明のさらに別の目的は、アプリケータのバレルの中に横方向に装着される吸収性綿撤糸を有するタンポンアプリケータを作る方法を提供することである。
【課題を解決するための手段】
【００１２】
本発明の以上および他の目的および利点は、吸収性綿撤糸がアプリケータのバレルの中に横方向へ装着されることを可能にするように構成されたタンポンアプリケータによって明らかにされるだろう。綿撤糸を横方向へ装着することによって、アプリケータは、バレルの挿入端部に前もって成形された花弁および／または減少された直径を有するフィンガーグリップを含むことができる。アプリケータは、例えば、バイオポリマー、ペーパー、板紙、ペーパースラリー、プラスチック、熱可塑性ポリマー、熱硬化性ポリマー、あるいは、これらのあらゆる組合せなどのあらゆる適切な材料から成形されることができる。
【発明を実施するための最良の形態】
【００１３】
本発明は、吸収性綿撤糸が横方向へ装着される、すなわち、綿撤糸がアプリケータの挿入端部か、あるいは、取り外し端部のいずれも通らずに装着されるが、どちらかといえば、１つの側面に沿って少なくとも部分的に開口されたバレルの内側に配置されるように構成された成形アプリケータバレルを提供する。この成形アプリケータバレルは、さらに、アプリケータバレルの挿入端部に前もって成形された花弁および／またはアプリケータの取り外し端部にフィンガーグリップを有する。
【００１４】
このようにアプリケータを成形することによって、多数の調節がアプリケータに、特に、アプリケータを成形するおよび綿撤糸を装着する最新のアプローチで不可能であるタンポンに総括して行われることを可能にする。例えば、これにより、綿撤糸を受容するのに十分な大きさのアプリケータの端部における開口の必要性がなくなるので、花弁が前もって成形されることと、フィンガーグリップが減少された直径を有することが同時に可能になる。
【００１５】
減少された直径のフィンガーグリップが、いっそうグリップ可能であり、美的に好ましいと消費者によって知覚されるということは考えられる。前もって成形された花弁は、いっそうの精度および対称性が確実とされるので、製造の観点から有利である。さらに、ペーパースラリーなどのいくつかの材料は二次成形に耐性であり、内側マンドレルの使用を必要とし、それにより、減少された直径のフィンガーグリップと関連して現在のところ難しい。前もって成形された花弁を減少された直径フィンガーグリップに組み入れることは、美しさと品質との最適な組合せを生成する。
【００１６】
図１を参照すると、本発明による組み立てられたタンポンアプリケータは、参照符号１０で示されている。このアプリケータ１０は、プランジャ端部１８および挿入端部２０を持つアプリケータバレル１２と、プランジャ２４とを有する。このバレル１２は、綿撤糸２２がバレル内で側面に沿うか、あるいは、横方向へ装着されるように成形される。組み立てられたアプリケータバレル１２は、ユーザの快適さを高めるために、挿入端部２０に前もって成形される花弁１６を有することが好ましい。一般に、アプリケータバレル１２は、挿入端部２０に前もって成形される約２から約１２の花弁１６を有している。アプリケータバレル１２は、約２から約６の前もって成形された花弁１６を有することがより好ましい。アプリケータ１０は、さらに、減少された直径のフィンガーグリップ１４を有することができ、プランジャ２４も、さらに、減少された直径を有することが好ましい。綿撤糸２２は、取り外しひも３２を有する。
【００１７】
図２および図３を参照すると、本発明のタンポンアプリケータのアプリケータバレル１２の一実施形態が描かれている。アプリケータバレル１２は、第１のバレル部３４と、本質的にバレル部３４の鏡像であり、形状がバレル部３４に類似する第２のバレル部３６とを有する単一成形バレルでよい。第１のバレル部３４および第２のバレル部３６は、組合されるか、あるいは、接続されるとき、これらは、ほぼ円形、卵形、楕円形、あるいは、これらのあらゆる組合せでよい断面を形成する。第１のバレル部３４は、各バレル部の１つ側面に沿う１つまたは複数のコネクタ３８によって第２のバレル部３６に可動に接続される。適切なコネクタ３８は、例えば、機械的ヒンジ、一体のヒンジ、あるいは、これらのあらゆる組合せを含む。１つまたは複数のコネクタ３８は、クラムシェルと同種の一体のヒンジであることが好ましい。
【００１８】
各バレル部３４、３６は、組み立てられたアプリケータ１０の挿入の間、ユーザの快適さを高める前もって成形された花弁１６を有することが好ましい。組み立てられたアプリケータ１０に設計される花弁の総数は、第１のバレル部３４と第２のバレル部３６との間であらゆる方法で分割されることが可能である。さらに、挿入のよりいっそうの容易さのために、第１のバレル部３４および第２のバレル部３６の両方は、アプリケータ１０のバレル部３４、３６のプランジャ端部１８に一体的に成形された減少された直径フィンガグリップ１４を有する。
【００１９】
図４および図５を参照すると、本発明のタンポンアプリケータの第２の実施形態において、アプリケータ１０は、第１のバレル部３４と、独立した、接続されていない第２のバレル部３６とを有する。第２のバレル部３６は、本質的に第１のバレル部３４の鏡像であることが好ましい。また、各バレル部３４、３６は、挿入端部２０に前もって成形される花弁を有する。再度、アプリケータ１０の挿入の間よりいっそうの容易さのために、第１のバレル部３４および第２のバレル部３６両方は、プランジャ端部１８に一体的に成形された減少された直径フィンガグリップ１４を有する。
【００２０】
フィンガグリップ１４のグリップ可能性は、フィンガーグリップ１４の外側表面内に、あるいは、上に少なくとも１つのグリップ構造、好ましくは、複数のグリップ構造を形成することに高められることができる。フィンガーグリップ１４は、少なくとも１つのグリップ構造を有することに加えてテクスチャード加工されることができる。
【００２１】
このグリップ構造は、タンポンアプリケータ１０の高められたグリップ可能性を生成するのに適するあらゆる数および／または構造で成形されるか、あるいは、形成されることができる。グリップ構造は、それらがフィンガーグリップ１４の外側表面の上に延在する、それらがフィンガーグリップの外側表面の下に延在する、グリップ構造の先端エッジまたは上方エッジがフィンガーグリップの外側表面と整列される、あるいは、これらのあらゆる組合せのように成形されることができる。グリップ構造のための適切な形状または構造は、例えば、１つ以上のアーク、円形、凹形、円錐、凸形、菱形、溝、線、ルーバー、長円形、多角形、隆起、矩形、リブ、スリット、四角形、トレッド、三角形、あるいは、これらのあらゆる組合せを含む。
【００２２】
図６および図７を参照すると、図２および図４のタンポンアプリケータバレル１２が、ここでは、第１のバレル部３４に位置決めされたプランジャ２４を有して描かれている。プランジャ２４は、綿撤糸含有端部２６と自由端部、あるいは、取り外し端部２８とを有する。プランジャ２４の両端部の大きさを変更することができることは、本発明の利点である。例えば、プランジャ２４の綿撤糸含有端部２６のサイズを増大することは、それが綿撤糸の大きなエリア全体にわたりプランジャからの力を分配し、これは、綿撤糸が剛性である場合特に有効である。バレル１２のベース開口のものよりも大きい綿撤糸含有端部２６を持つプランジャ２４を有することはさらに、それが多くの消費者にとってフラストレーションのポイントであるバレルからのプランジャの分離を防止するので利点である。
【００２３】
取り外し端部２８は、朝顔形に開かれた端部であることが好ましい。朝顔形に開かれた取り外し端部は、タンポンアプリケータ１０の挿入の間快適なフィンガー掛けとしての利点をもたらす。本発明の側面の開いたバレル１２に関して、プランジャ２４は、組み立てられたバレル１２を形成するに先だって、アプリケータ１０の内側に配置され、プランジャ両端２６、２８の両方が、増大したサイズ、あるいは、フレアだけでなく、減少された直径のフィンガーグリップと前もって成形された花弁とを有することを可能にする。
【００２４】
図８および図９を参照すると、図６および図７のタンポンアプリケータアセンブリは、ここでは、吸収性綿撤糸２２を、第１のバレル部３４の中に横方向へ、あるいは、側面に沿って装着した状態で描かれている。吸収性綿撤糸２２を横方向へ装着後、第１のバレル部３４および第２のバレル部３６は、互いに接続され、固定される。
【００２５】
第１のバレル部３４を第２のバレル部３６と接続可能に固定するのにいくつかの可能性がある。適切なコネクタは、例えば、接着剤、溶融溶接、互いに部片をスナップで留める（すなわち、締りばめ）、あるいは、これらのあらゆる組合せを含む。第１のバレル部３４および第２のバレル部３６は、接着剤で固定されることが好ましい。
【００２６】
側面装着されたタンポンアプリケータ１０は、技術上周知のあらゆる成形可能な材料から成形されることができる。適切な成形可能な材料は、例えば、バイオポリマー、ペーパー、板紙、ペーパースラリー、プラスチック、熱可塑性ポリマー、熱硬化性ポリマー、あるいは、これらのあらゆる組合せを含む。
【００２７】
減少された直径フィンガーグリップ１４を前もって成形された花弁１６に組み込むことに加えて、その他の点では、減少された直径のフィンガーグリップおよび／または前もって成形された花弁と関連して生成することが不可能な形状にアプリケータ１０を成形することが可能である。一例として、バレル１２それ自体は、先端、あるいは、挿入端部２０の方へ向って先細にされることができる、あるいは、その全長を通じて可変する直径を有することができる。バレルの断面は、例えば、円形か、卵形か、楕円形か、あるいは、これらのあらゆる組合せでよい。これらのいっそう複雑な設計は、成形マンドレルがより小さな開口を通って取り除かれる必要がないので、標準の成形プロセスによって排除される可能性を呈する。
【００２８】
バレルの形成方法はさらに、いっそう複雑な表面状態を生成する能力を提供する。例えば、あらゆる様々なサイズ、形状、スタイルおよび多数の隆起は、アプリケータに形成されることが可能であり、内側特性および外側特性の両方を生成する。これらの特性は、バレルとプランジャ、バレルと綿撤糸との間の接触エリアを減少するバレル内側に隆起部分を含み、したがって、排出力が減少する。
【００２９】
横方向へ装着されたバレル、あるいは、側面に沿って装着されたバレル１２は、バレル自体への変更およびバレル自体の処置を可能とし、これは、最新の成形技術を用いて実行することはより難しい。バレル１２の内側表面をタンポンアセンブリプロセスの間に露呈することにより、表面処置を製造プロセスに組み込むことはより容易となる。例えば、バレル１２の内側表面は、摩擦減少コーティングで、あるいは、マイクロカプセル含有芳香、潤滑剤、薬用組成、あるいは、綿撤糸２２がアプリケータ１０から放出されたときに活性化される他の物質で処理されることができる。
【００３０】
強度を高めるために、および／または、表面摩擦を減少するために、バレル１２および／またはプランジャ２４のあらゆる表面を処理する適切は表面処理材料は、例えば、セロファン、セルロース、エポキシ、ラッカー、ニトロセルロース、ナイロン、プラスチック、シリコーン、ポリエステル、ポリラクチド、ポリオレフィン、ポリビニルアルコール、ポリ塩化ビニル、ワックス、あるいは、これらのあらゆる組合せを含む。
【００３１】
本発明は、このように、その好ましい形態を特に参照として説明されており、様々な変更および変形が、添付の特許請求の範囲に定義されるように、本発明の精神と範囲とから逸脱することなくその中において行われることができるということは明らかである。
【図面の簡単な説明】
【００３２】
【図１】本発明のすべての実施形態による組み立てられたタンポンアプリケータの平面図である。
【図２】本発明の一実施形態による２つの部分からなる、可動に接続されたタンポンアプリケータバレルの平面図である。
【図３】図２のタンポンアプリケータバレルの挿入端部の端面図である。
【図４】本発明の第２の実施形態による２つの部分からなる、接続されていないタンポンアプリケータバレルの平面図である。
【図５】図４のタンポンアプリケータバレルの挿入端部の端面図である。
【図６】プランジャを、２つの部分からなるバレルの１つの部分に位置決めした状態の、図２のタンポンアプリケータの平面図である。
【図７】プランジャを、２つの部分からなる接続されていないアプリケータバレルの１つの部分に位置決めした状態の、図４のアプリケータバレルの平面図である。
【図８】吸収性綿撤糸を、２つの部分からなる可動に接続されたアプリケータバレルの１つの部分の中に横方向へ装着した状態の、図６のタンポンアプリケータの平面図である。
【図９】吸収性綿撤糸を、２つの部分からなる接続されていないバレルの１つの部分の中に横方向に装着した状態の、図７のタンポンアプリケータの平面図である。
【図１】
2005514165.tif 000003
【図２】
2005514165.tif 000004
【図３】
2005514165.tif 000005
【図４】
2005514165.tif 000006
【図５】
2005514165.tif 000007
【図６】
2005514165.tif 000008
【図７】
2005514165.tif 000009
【図８】
2005514165.tif 000010
【図９】
2005514165.tif 000011
【国際調査報告】
2005514165.tif 000012